(57)【要約】  ユーザー関心事項に基づく移動通信装置のアプリケーションのランチングパッド装置及び駆動方法を提供する。移動通信装置に関連したデータ要素のメタデータを入力され、メタデータの同じデータ要素の集合を構成し、データ要素の集合にユーザー関心事項に基づくタグを決定して付与して、データ要素と関連した移動通信装置のアプリケーションを行うユーザー関心事項に基づく移動通信装置のアプリケーションのランチングパッドの駆動方法である。
2009538033.tif 000002
【特許請求の範囲】
【請求項１】
移動通信装置に関連したデータ要素のメタデータを入力されるステップと、
前記メタデータの同じデータ要素の集合を構成するステップと、
前記集合にユーザー関心事項に基づくタグを付与するステップと、
前記データ要素と関連した前記移動通信装置のアプリケーションを行うステップと、を含むことを特徴とするユーザー関心事項に基づく移動通信装置のアプリケーションのランチングパッドの駆動方法。
【請求項２】
前記タグ付与ステップは、前記データ要素に関連したタグを決定するステップを含むことを特徴とする請求項１に記載のユーザー関心事項に基づく移動通信装置のアプリケーションのランチングパッドの駆動方法。
【請求項３】
前記タグ付与ステップは、前記データ要素に関連した複数個のタグを付与することを特徴とする請求項１に記載のユーザー関心事項に基づく移動通信装置のアプリケーションのランチングパッドの駆動方法。
【請求項４】
前記タグは、あらかじめ生成されたものと新たに生成できるものとを含むことを特徴とする請求項１に記載のユーザー関心事項に基づく移動通信装置のアプリケーションのランチングパッドの駆動方法。
【請求項５】
前記タグは、ＸＭＬ（Ｅｘｔｅｎｓｉｂｌｅ  Ｍａｒｋｕｐ  Ｌａｎｇｕａｇｅ）ファイルの形式であるか、または文字列であることを特徴とする請求項１に記載のユーザー関心事項に基づく移動通信装置のアプリケーションのランチングパッドの駆動方法。
【請求項６】
前記アプリケーション実行ステップは、前記タグを選択すれば、前記タグと関連したあらゆるデータ要素のリストを見せ、前記リストのうち少なくとも一つのデータ要素を選択すれば、前記選択されたデータ要素に関連したアプリケーションを行うステップを含むことを特徴とする請求項１に記載のユーザー関心事項に基づく移動通信装置のアプリケーションのランチングパッドの駆動方法。
【請求項７】
前記タグのリストを構成して、前記移動通信装置を通じて他のユーザーと前記タグのリストを共有するステップを含むことを特徴とする請求項１に記載のユーザー関心事項に基づく移動通信装置のアプリケーションのランチングパッドの駆動方法。
【請求項８】
前記共有ステップは、前記データ要素を伝送する前に、前記タグのリストを同期化するステップを含むことを特徴とする請求項７に記載のユーザー関心事項に基づく移動通信装置のアプリケーションのランチングパッドの駆動方法。
【請求項９】
前記データ要素は、前記移動通信装置内またはネットワーク上に存在することを特徴とする請求項１に記載のユーザー関心事項に基づく移動通信装置のアプリケーションのランチングパッドの駆動方法。
【請求項１０】
前記タグ決定ステップは、前記データ要素を読み取って、前記データ要素に対して過去に行われたアプリケーションによってタグを決定することを特徴とする請求項２に記載のユーザー関心事項に基づく移動通信装置のアプリケーションのランチングパッドの駆動方法。
【請求項１１】
前記ユーザー関心事項は、触発型または持続型であることを特徴とする請求項１に記載のユーザー関心事項に基づく移動通信装置のアプリケーションのランチングパッドの駆動方法。
【請求項１２】
前記データ要素は、マルチメディアデータ、連絡先、行事日程、メッセージを含むことを特徴とする請求項１に記載のユーザー関心事項に基づく移動通信装置のアプリケーションのランチングパッドの駆動方法。
【請求項１３】
移動通信装置に関連したデータ要素のメタデータを入力する情報入力部と、
前記メタデータの同じデータ要素の集合を構成するデータ結合部と、
前記集合にユーザー関心事項に基づくタグを付与するタグ付与部と、
前記データ要素と関連した前記移動通信装置のアプリケーションを行うアプリケーション実行部と、を備えることを特徴とするユーザー関心事項に基づく移動通信装置のアプリケーションのランチングパッド装置。
【請求項１４】
前記データ要素に関連したタグを決定するタグ決定部を備えることを特徴とする請求項１３に記載のユーザー関心事項に基づく移動通信装置のアプリケーションのランチングパッド装置。
【請求項１５】
前記タグ付与部は、前記データ要素に関連した複数個のタグを付与することを特徴とする請求項１３に記載のユーザー関心事項に基づく移動通信装置のアプリケーションのランチングパッド装置。
【請求項１６】
前記ユーザー関心事項に基づくタグを新たに定義して生成するタグ生成部を備えることを特徴とする請求項１３に記載のユーザー関心事項に基づく移動通信装置のアプリケーションのランチングパッド装置。
【請求項１７】
前記タグは、ＸＭＬファイルの形式であるか、または文字列であることを特徴とする請求項１３に記載のユーザー関心事項に基づく移動通信装置のアプリケーションのランチングパッド装置。
【請求項１８】
前記アプリケーション実行部は、前記タグと関連したあらゆるデータ要素のリストを見せ、前記リストのうち少なくとも一つのデータ要素を選択すれば、前記選択されたデータ要素に関連したアプリケーションを行うことを特徴とする請求項１３に記載のユーザー関心事項に基づく移動通信装置のアプリケーションのランチングパッド装置。
【請求項１９】
前記タグのリストを構成して、前記移動通信装置を通じて他のユーザーと前記タグのリストを共有するデータ通信部を備えることを特徴とする請求項１３に記載のユーザー関心事項に基づく移動通信装置のアプリケーションのランチングパッド装置。
【請求項２０】
前記データ通信部は、前記データ要素を伝送する前に、前記タグのリストを同期化することを特徴とする請求項１９に記載のユーザー関心事項に基づく移動通信装置のアプリケーションのランチングパッド装置。
【請求項２１】
前記データ要素は、前記移動通信装置内またはネットワーク上に存在することを特徴とする請求項１３に記載のユーザー関心事項に基づく移動通信装置のアプリケーションのランチングパッド装置。
【請求項２２】
前記タグ決定部は、前記データ要素を読み取って、前記データ要素に対して過去に行われたアプリケーションによってタグを決定することを特徴とする請求項１４に記載のユーザー関心事項に基づく移動通信装置のアプリケーションのランチングパッド装置。
【請求項２３】
前記ユーザー関心事項は、触発型または持続型であることを特徴とする請求項１３に記載のユーザー関心事項に基づく移動通信装置のアプリケーションのランチングパッド装置。
【請求項２４】
前記データ要素は、マルチメディアデータ、連絡先、行事日程、メッセージを含むことを特徴とする請求項１３に記載のユーザー関心事項に基づく移動通信装置のアプリケーションのランチングパッド装置。
【請求項２５】
移動通信装置に関連したデータ要素のメタデータを入力されるステップと、
前記メタデータの同じデータ要素の集合を構成するステップと、
前記集合にユーザー関心事項に基づくタグを付与するステップと、
前記データ要素と関連した前記移動通信装置のアプリケーションを行うステップと、を含むことを特徴とするユーザー関心事項に基づく移動通信装置のアプリケーションのランチングパッドの駆動方法を具現するためのプログラムが記録されたコンピュータで読み取り可能な記録媒体。
【発明の詳細な説明】
【技術分野】
【０００１】
本発明は、一般的に移動通信分野に係り、移動通信装置のアプリケーション及びユーザーインターフェース（ＵＩ）のデザインに適用される。本発明は、移動通信装置の有用性を取り扱い、特にユーザー関心に基づく移動通信装置のアプリケーションのランチングパッド装置及び駆動方法に関する。
【背景技術】
【０００２】
電話機のデータ要素のメタデータを定義するために利用可能なシステムまたは先行技術、例えば、ＭＰＥＧ標準がある。あらゆるデータ（ビデオ、オーディオ、イメージなど）の‘関連情報’を保存するシステムがある。かかるシステムは、例えば、ＥＸＩＦ（Ｅｘｃｈａｎｇｅａｂｌｅ  Ｉｍａｇｅ  Ｆｉｌｅ）ヘッダの形式でコンテンツと共にコンテンツのメタデータ情報を保存する。このメタ情報は、データコンテンツと共に行く。これにより、保存されたメタデータ情報は、あらゆるユーザーに共通する。
【０００３】
移動通信装置に搭載された他のアプリケーションは、ユーザーが所望する作業を行うためにメタデータを処理する。このアプリケーション、例えばフォンブック、ＳＭＳ（Ｓｈｏｒｔ  Ｍｅｓｓａｇｅ  Ｓｅｒｖｉｃｅ）、ＭＭＳ（Ｍｕｌｔｉｍｅｄｉａ  Ｍｅｓｓａｇｉｎｇ  Ｓｅｒｖｉｃｅ）、カメラ、ファイルビューワなどは、かかる作動のために同じデータベースを使用することもあり、使用しないこともある。
【０００４】
既存の移動通信装置のアプリケーションは、それぞれのアプリケーションのためのそれぞれのＵＩガイドラインを定義する。例えば、左側ソフトキーが肯定反応で使われる方法、中央選択キーが“ＯＫ”反応で使われる方法などの使用法を説明する。かかるＵＩガイドラインは、他の移動通信装置の生産者に常に同一ではない。
【０００５】
既存のアプリケーションは、データ要素を分類する固定された方法を提示する。例えば、フォンブックまたはＩＭ（Ｉｎｓｔａｎｔ  Ｍｅｓｓａｇｉｎｇ）アプリケーションは、‘友人’項目に一部事項、‘親戚’項目に他の事項などその他を設定するために提示する。カメラアプリケーションは、写真を他のフォルダーに入れる方式のために提示する。
【０００６】
進歩した移動通信装置は、電話機内のデータ要素に対して具現される検索機能、例えばＧＯＯＧＬＥデスクトップを有する。一般的に、この検索機能は、与えられたテキスト入力に対して検索する。
【０００７】
以下、関連分野の先行技術の検索結果と本発明とがどのように異なるかについて述べられる。
【０００８】
１）米国特許出願第２００６／００３５６３２Ａ１号公報“通信装置のコンタクト選択を容易にするための装置及び方法”は、２００４年８月１６日に出願された。この特許出願は、通信装置でコンタクト選択を容易にするための方法及び装置を提示する。この技法は、以前の通信の通信属性をモニタリングできる。複数個のヒストリーリストは、モニタリングされた通信属性に基づいて選択条件を満足させるコンタクトを維持する。ヒストリーリストは、最小限の命令語の入力により、ユーザーが所望するコンタクトを選択可能にする。この特許出願は、コンタクトを複数個のカテゴリーに自動的に分類する方法を記述する。しかし、この特許出願は、コンタクトでないデータ要素のカテゴリー分類について記述しない。
【０００９】
２）米国特許第７，００３，３２７号明細書“無線通信装置の自己発見的に補助するユーザーインターフェース”は、２０００年６月１４日に出願された。出願人は、Ｏｐｅｎｗａｖｅ  ｓｙｓｔｅｍ  Ｉｎｃ．である。この特許出願は、移動通信でコンタクトの管理装置及び方法を提示する。移動通信装置が電話番号、電子メールアドレス、ＦＡＸ番号、ＵＲＬ（Ｕｎｉｆｏｒｍ  Ｒｅｓｏｕｒｃｅ  Ｌｏｃａｔｏｒ）のようなコンタクト識別子の管理及び効率化にユーザーを補助する。移動通信装置に保存された内容は、コンタクト識別子の既定されたクラスが存在するように処理されて分析される。この特許出願は、また、あらかじめ識別されたコンタクトからのメッセージまたは呼び出しを受信する場合、ユーザーが自動的に特定の作業を行える。この特許出願は、移動通信装置内のコンタクト情報の自動分類化及び管理のためのユーザーインターフェースを提示する。しかし、コンタクト情報ではないデータ要素の管理については、何の情報も与えられない。
【００１０】
３）ＪＰ２００３２１９０６５Ａ“移動通信電話機及び移動通信電話機の情報管理方法”は、２００２年１月１８日に出願された。出願人は、ＮＥＣアクセステクニカ社である。ユーザーが容易に地域情報を選択／検索でき、地域情報分配サービスを通じて地域情報を受ける機能により、移動通信電話機内の地域情報のデータの削除のような作動を容易にするユーザーインターフェースを提案する。この特許出願は、他のディレクトリへの情報の分類化を移動通信電話機の作動場所や地域によって説明する。しかし、この特許出願は、ユーザー関心事項によるデータ分類化及び受動または自動アップデートを記述しない。
【発明の開示】
【発明が解決しようとする課題】
【００１１】
本発明が解決しようとする課題は、ユーザー関心情報に基づく移動通信装置のアプリケーションのランチングパッド装置及び駆動方法において、さらに速くて効率的に所望の移動通信装置に関連したアプリケーションに接近して実行する装置及び駆動方法を提供するところにある。また、移動通信装置のアプリケーション及びユーザーインターフェースのデザインに適用される。本発明は、移動通信装置の有用性を取り扱う。さらに細部的には、ユーザーが現在の関心事項によって所望のデータ要素にさらに速く接近して、その関連アプリケーションを実行するアプリケーションランチングパッド装置及び駆動方法を提供する。
【００１２】
また、本発明は、ユーザー関心事項を反映するタグをデータ要素に付与することによって、メタデータの保存空間を節約し、他の移動通信装置とさらに速くて効果的にデータを交換できる方法を提示する。
【課題を解決するための手段】
【００１３】
前記課題を解決するために、ユーザー関心事項に基づく移動通信装置のアプリケーションのランチングパッドの駆動方法は、移動通信装置に関連したデータ要素のメタデータを入力されるステップと、メタデータの同じデータ要素の集合を構成するステップと、データ要素の集合にユーザー関心事項に基づくタグを付与するステップと、データ要素と関連した移動通信装置のアプリケーションを行うステップと、を含む。一実施形態は、タグ付与ステップは、データ要素に関連したタグを決定するステップを含む。
【００１４】
望ましい実施形態において、タグ付与ステップは、データ要素に関連した複数個のタグを付与する。また、タグは、あらかじめ生成されたこともあり、新たに生成されることもある。タグは、ＸＭＬ（Ｅｘｔｅｎｓｉｂｌｅ  Ｍａｒｋｕｐ  Ｌａｎｇｕａｇｅ）ファイルの形式であるか、または文字列である。
【００１５】
本発明の望ましい実施形態において、アプリケーション実行ステップは、タグを選択すれば、タグと関連したあらゆるデータ要素のリストを見せ、リストのうち少なくとも一つであるデータ要素を選択すれば、選択されたデータ要素に関連したアプリケーションを行うステップを含む。
【００１６】
一実施形態は、タグのリストを構成して、移動通信装置を通じて他のユーザーと前記タグのリストを共有するステップを含む。他の実施形態において、共有ステップは、データ要素を伝送する前に、タグのリストを同期化するステップを含む。
【００１７】
本発明の実施形態のデータ要素は、移動通信装置内またはネットワーク上に存在する。
【００１８】
一実施形態において、タグ決定ステップは、データ要素を読み取って、データ要素に対して過去に行われたアプリケーションによってタグを決定することもできる。
【００１９】
本発明の特徴によって、ユーザー関心事項は、触発型または持続型であり、データ要素は、マルチメディアデータ、連絡先、行事日程、メッセージを含む。
【００２０】
前記課題を解決するために、ユーザー関心事項に基づく移動通信装置のアプリケーションのランチングパッド装置は、移動通信装置に関連したデータ要素のメタデータを入力する情報入力部と、メタデータの同じデータ要素の集合を構成するデータ結合部と、データ要素の集合にユーザー関心事項に基づくタグを付与するタグ付与部と、データ要素と関連した移動通信装置のアプリケーションを行うアプリケーション実行部とを備える。
【００２１】
また、本発明の望ましい実施形態は、ユーザー関心事項に基づく移動通信装置のアプリケーションのランチングパッドの駆動方法を具現するためのプログラムが記録されたコンピュータで読み取り可能な記録媒体を含む。
【発明の効果】
【００２２】
本発明は、ユーザー関心事項に基づく移動通信装置のアプリケーションのランチングパッド装置及び駆動方法において、さらに少ない命令入力により所望のアプリケーションを作動させるので、向上した有用性を提示する。移動通信装置で行われるユーザーが所望する臨時作業に関するデータ要素にタグを付与し、移動通信装置のビューを通じて簡便に移動通信装置のアプリケーションを行う。
【００２３】
タグは、一般的なユーザーの関心事項によりあらかじめ付与されているが、変わる関心事項を反映するために、ユーザーにより生成されることもある。データ要素に付与されるタグは、あらかじめ決定されることもあるが、データ要素と異なるユーザーのメタデータから直接読み取られて決定されることもある。
【００２４】
ここで、メタデータは、それぞれのデータ要素ごとに複写されず、メタデータにタグを付与して保存空間を節約する。データ要素は、物理的に移動通信装置にある必要がなく、ネットワーク上に位置できる。また、二つの装置間にタグのリストとデータ要素との同期化を通じて効率的なデータ通信が可能である。
【発明を実施するための最良の形態】
【００２５】
以下、本発明の望ましい実施形態を添付された図１ないし図４によって説明する。
【００２６】
図１は、本発明の望ましい実施形態の機能ブロック図である。図１に示すように、本発明の望ましい実施形態によるユーザー関心事項に基づく移動通信装置のアプリケーションのランチングパッド装置１００は、情報入力部１０２、データ結合部１０４、タグ生成部１０６、タグ付与部１０８、アプリケーション実行部１１０及び通信部１１２を備える。
【００２７】
情報入力部１０２は、移動通信装置上で行われるアプリケーションの対象であるデータ要素のメタデータに関連情報を入力され、メタデータが入力されたデータ要素をデータ結合部１０４に出力する。
【００２８】
メタデータは、属性情報ともいい、大量の情報のうち検索対象の情報を効率的に検索して利用するためにコンテンツに対して付与される。ここには、コンテンツの位置と内容、作成者についての情報、権利条件、利用条件、利用来歴などが記録される。メタデータは、データを表現するための目的及びデータを速く検索するための目的で使われる。
【００２９】
データ結合部１０４は、情報入力部１０２から関連情報を入力されたデータ要素のメタデータを分析して、メタデータの同じデータ要素同士で結合して集合をなす。かかるデータ要素の集合をタグ付与部１０８に出力する。
【００３０】
タグ生成部１０６は、ユーザー関心事項を反映するタグを生成して、タグ付与部１０８に出力する。
【００３１】
本願発明の特徴は、人々は、色々な資料を生活上の色々な関心事項によって種類別に結合して収集するという事実から始まる。例えば、ユーザーの連絡先、メッセージ、行事日程、写真などが‘夕食の準備’または‘家探し’のようなタグによって分類されるか、またはユーザーの心中でタグを付与するために区分される。
【００３２】
タグ別にデータを分類することは、移動通信装置上のあらゆるアプリケーションに対して共通する要因となりうる。単に差別化される点は、一つの時点で特定のユーザーに重要な関心事項は多くなく、継続的に変わるということである。したがって、ユーザーの関心事項を反映するタグも、重要なタグは多くなく、常に変わるので、アップデートされる必要がある。
【００３３】
本発明は、移動通信装置と関連したデータ要素をユーザーの関心事項によって分類するために、タグをユーザーの関心事項によって定義する。したがって、一般的な生活上の関心事項についてのタグは、移動通信装置上にあらかじめ定義されて生成されていることもあるが、多様な関心事項の変化を反映するタグは、ユーザーにより定義されて移動通信装置に生成できる。
【００３４】
したがって、データ結合部１０４で構成されたデータ要素の集合に適したタグがない場合、タグ生成部１０６は、メタデータを考慮してユーザー関心事項を反映するタグを新たに定義して生成する。
【００３５】
タグ付与部１０８は、データ結合部１０４で結合されたデータ要素の集合に所定のタグを付与して、アプリケーション実行部１１０に出力する。一実施形態において、データ要素に付与するタグを決定する作業もタグ付与部１０８で行う。
【００３６】
データ要素に付与されるタグは、複数個でありうる。例えば、連絡先‘ホンギルドン’というデータ要素に対して、‘食事の誘い’というタグと‘宿題の集り’というタグとが複数で付与されることである。タグは、ＸＭＬファイルの形式であるか、または簡単な文字列でありうる。
【００３７】
アプリケーション実行部１１０は、タグ付与部１０８でタグが付与されたデータ要素に対して該当アプリケーションを行う。一つのタグが付与されているデータ要素は複数個でありうるので、タグを選択すれば、複数個のデータ要素が選択可能な状態となり、そのうち一つのデータ要素を選択すれば、そのデータ要素と関連したアプリケーションが行われる。また、同じタグの他のデータ要素を選択すれば、これと関連した他のアプリケーションが行われる。
【００３８】
例えば、‘夕食の誘い’というタグを選択して、‘夕食の誘い’というタグが付与されたデータ要素として色々な連絡先、約束日程及び受信ＳＭＳメッセージがありうる。このとき、データ要素である一つの連絡先を選択すれば、その連絡先に電話をかけるアプリケーションが行われる。また、データ要素のうち約束日程を選択すれば、日程表の管理のためのアプリケーションが行われ、ＳＭＳメッセージを選択すれば、受信メッセージに対して回答できるＳＭＳメッセージアプリケーションが行われる。
【００３９】
通信部１１２は、タグ付与部１０８からタグのリストを入力されて、移動通信装置のデータと他のユーザーの移動通信装置のデータとを互いに送受信する。本発明の一実施形態において、両移動通信装置間の実質的なデータ伝送以前にタグのリストを同期化して通信効率を向上させる。
【００４０】
図２は、本発明のタグとデータ要素との関係を示す。図２に示すように、集合２０２は、移動通信装置上のタグのリストを表す。ユーザー関心事項は複数個でありうるので、それを反映した複数個のタグが存在しうる。
【００４１】
集合２０４は、移動通信装置と関連したデータ要素の総集合である。本発明の望ましい実施形態において、データ要素は、一般的に移動通信装置内に存在するが、一実施形態では、データ要素がネットワーク上にも存在しうる。データ要素は、音楽、映像、写真などのマルチメディアデータ、ブイカードのような連絡先、スケジュールなどの日程行事及びメッセージなどを含む。
【００４２】
集合２０６，２０８，２１０及び２１２は、移動通信装置と関連したデータ要素のそれぞれの集合である。データ結合部１０４でメタデータの同じデータ要素同士で結合した結果を表す。データ要素１，２，４，５，９及び１２のように一つの集合にのみ含まれる場合があるが、データ要素３，６，７，８，１０及び１１のように複数個の集合に含まれる場合もある。
【００４３】
図２において、タグ１は、データ要素の集合２０６に付与され、タグ２は集合２０８に、タグ３は集合２１０に、タグＮは集合２１２に付与される。このように、データ要素とタグとを付与する作業は、タグ付与部１０８で行う。複数個の集合に分類されたデータ要素があるので、同様にタグも複数で付与されたデータ要素が存在する。例えば、データ要素３は、タグ１が付与されているが、タグ２も付与される。データ要素７は、タグ２，３及び４が付与されている。
【００４４】
データ要素の集合に付与するタグを決定する過程は、あらかじめ定義されている。特に、人々の非常に日常的な関心事項と関連したタグは、そのメタデータがあらかじめ決定されているので、情報入力部１０２で既定のメタデータが入力されたデータ要素は同様に、あらかじめ定義されているタグがソフトウェア的に付与される。
【００４５】
例えば、‘誕生日’というタグは、連絡先、行事日程などのデータ要素の付与が予想されるので、あらかじめ移動通信装置上でタグ及びメタデータなどを定義しておく。したがって、‘誕生日の祝いの日付’という行事日程に関するデータ要素は、‘誕生日’タグが決定されるものである。
【００４６】
しかし、実生活では、多様な関心事項と事件がありうるので、移動通信装置上にあらゆるタグがあらかじめ定義されて、あらゆるデータ要素にタグをソフトウェア的に結合することはできない。したがって、本発明の一実施形態において、新たに定義されて生成されたタグがあり、このタグとデータ要素との結合は、ユーザーが調整することができる。
【００４７】
また、一実施形態において、タグ決定部がデータ要素を読み取って、データ要素に対して過去に行われたアプリケーションを検索する。これにより、データ要素のアプリケーションのヒストリーを分析して、それと対応するタグを決定できる。
【００４８】
図３は、本発明の望ましい実施形態による移動通信装置のランチングパッドのビュー及び作動方法を示す。図３に示すように、ビュー３０２は、ユーザーが移動通信装置上で表示されたメインメニュのうちタグアプリケーションを選択できるビューを示す。ビュー３０２は、ユーザーがどのタグアプリケーションメニュを選択するかによって、選択された移動通信装置のアプリケーションを行うための準備ステップに該当する。
【００４９】
ビュー３０４は、ビュー３０２のメインメニュから選択されて実行されるタグアプリケーションのうち、現在の移動通信装置上に定義されているタグのリストが表示されるビューを表す。ユーザーは、ビュー３０４のリストのうち一つのタグを選択できる。
【００５０】
ビュー３０６は、ビュー３０４から選択されたタグが付与されているデータ要素のリストを表示するビューを表す。ビュー３０６では、‘銀行’タグに付与されたデータ要素として５個のＳＭＳメッセージ、１０個の連絡先、３個の主催行事、４個の写真がある。このデータ要素は、同じメタデータを有するので、‘銀行’タグが付与されたものである。
【００５１】
ユーザーがビュー３０６のデータ要素を一つ以上選択すれば、それと関連したアプリケーションが行われる。例えば、‘ＳＭＳメッセージ’を選択すれば、回答のためのＳＭＳアプリケーションが行われ、‘連絡先’のデータ要素を選択すれば、連絡のためのアプリケーションが行われ、‘主催行事’のデータ要素を選択すれば、日程管理アプリケーションが行われ、‘写真’のデータ要素を選択すれば、写真ビューワアプリケーションが行われる。
【００５２】
以下、移動通信装置と関連したアプリケーションの実行について、さらに詳細に説明する。
【００５３】
既存の技術において、同じＵＩガイドラインを提供し、一つのアプリケーションを他のアプリケーションに呼び出す機能を提供する場合を除いては、既存のアプリケーションすべてが移動通信装置を使用する意図のユーザー作業を反映するアプリケーションに対して有用性の共通性がない。例えば、ＳＭＳビューワアプリケーションから呼び出しアプリケーションを呼び出すことができない。単にユーザーは、ＳＭＳを伝送した人を呼び出すためのオプションを選択できる。現在、ユーザーの関心に基づいてアプリケーション内のデータ要素を組織化する方法があるが、同時に他のアプリケーションを取り扱うことはできない。
【００５４】
既存の移動通信装置のＵＩは、一つの画面からユーザーの一時的関心（例えば、‘家探し’、‘夕食の準備’、‘レポートの準備’など）のためのアプリケーションを実行させる方法を提示しない。
【００５５】
ユーザー関心事項は、気象予報の確認、競技スコアの確認のような‘触発型’と、夕食の準備、家探しのような‘持続型’とに分類できる。後者の関心事項のブイカード、写真、約束のようなデータ要素は、一定期間にわたって蓄積される。既存の技術は、ユーザーが所望する作業を決めて行うために、移動通信装置上のあらゆるデータユニットを検索する。アプリケーションの数量及び移動通信装置上のまたは電話機からのデータの量が増加しつつ、効率性及び有用性が低下し始まる。
【００５６】
既存のアプリケーションは、ユーザーが一時的な作業／関心事項により一定な観点で電話機内のそれぞれのアプリケーションまたはデータ要素を見るという事実に焦点を合わせないため、データ要素のアプリケーションの実行において効率性が低下する。
【００５７】
したがって、本発明の望ましい実施形態は、前述したように、ユーザーの関心事項を反映する一つのタグに対して、複数個のデータ要素が付与され、また、それぞれのデータ要素は、関連アプリケーションが異なりうる。したがって、一つのタグに対するビューを表示する移動通信装置のスクリーン上でも色々なのアプリケーションを実行できるということが既存の発明との相違点であり、この相違点により、移動通信装置のランチングパッドの効率性及び有用性を向上させる。
【００５８】
以下、移動通信装置と関連したデータ要素のメタデータの内容、保存、複写及び通信と関連して説明する。
【００５９】
既存のメタデータ構造及び関連作業を駆動させるコンピューティングソリューションは、使用するのに面倒であり、扱いがたい。それらの一部は、作業実行の流れを捕捉しつつ、作業技術言語の表現により作業を定義せねばならない。かかる種類の構造でメタデータは、ヘッダのようなデータに拘束され、データにおいて不可欠な部分である。既存の方式によれば、データの組み合わせは、特定のユーザーによってのみ、また、そのユーザーのためにのみ維持される。
【００６０】
ユーザーがデータ要素のために関連させる関連情報は、ＸＭＬファイルでありうる。関連情報を保存するこのフォーマットは、同じ情報があらゆるデータ要素と共に保存されないので、保存空間を節約する。例えば、多くのマルチメディア客体（歌、写真、イメージなど）、連絡先（ブイカード）、行事日程、メッセージなどがユーザーの同じ関心事項に関するものであるとき、同じＸＭＬファイルに付与される。このＸＭＬファイルのセットに索引を付着して、メタデータの複写を避ける。
【００６１】
すなわち、ここで、メタデータは、それぞれのデータ要素のために複写されないユーザーが関心を有する詳細情報である。その代わりに、データ要素は、メタデータに索引を付着して、あらゆる要素のための関連情報の複写を避ける。したがって、データ要素の関連情報の保存空間を節約する。
【００６２】
また、移動通信において、他の移動通信装置または他のユーザーの移動通信装置とのデータ要素の伝送及び通信は、重要かつ必須的な分野である。しかし、次第にデータ量が多くなり、回数が頻繁になりつつ、その効率性が重要になる。
【００６３】
移動通信装置に関連したデータ要素の通信において、伝送されるデータ要素やメタデータが重なるならば、通信の非効率性を加重させるので、重複を避けねばならない。したがって、本発明の望ましい実施形態により、同じメタデータの集合にタグを付与する方式は、メタデータの直接的な複写を避け、効率的かつ速い通信を可能にする。また、他のユーザーとのタグを同期化することによって、さらに効率的かつ経済的な通信が可能である。
【００６４】
図４は、本発明の望ましい実施形態のフローチャートである。図４に示すように、ステップ４０２では、移動通信装置と関連したデータ要素のメタデータを入力される。
【００６５】
ステップ４０４では、入力されたメタデータの同じデータ要素を結合して集合を構成する。データ要素についてのメタデータは複数個でありうるので、メタデータの同じデータ要素の集合も複数個でありうる。
【００６６】
ステップ４０６では、構成されたデータ要素の集合に付与するためのタグを決定するために、適したタグがあるか否かを判断する。本発明の実施形態によれば、タグは、ユーザーの関心事項を反映しているので、タグを付与しようとするデータ要素のメタデータとマッチングされるユーザー関心事項は非常に多様である。したがって、このメタデータに適したタグは、あらかじめ生成されている場合もあるが、適したタグがない場合もある。このとき、適したタグがあれば、ステップ４１０に進み、適したタグがなければ、ステップ４０８に進む。
【００６７】
ステップ４０８では、構成されたデータ要素の集合に付与するためのタグを新たに定義して生成する。本発明の望ましい実施形態によって、タグは、ユーザーの関心事項を反映せねばならない。
【００６８】
ステップ４１０では、データ要素の集合に適したタグを付与する。移動通信装置のユーザーは、ここで付与されたタグによって、データ要素を確認して接することができる。したがって、ユーザーは、さらに速くて効率的にユーザーの関心事項に関するデータ要素を接近し、関連アプリケーションを行うか、または他の移動通信装置のユーザーとデータ要素の通信を行える。
【００６９】
ステップ４１２では、データ要素の関連アプリケーションを行う。ユーザーが移動通信装置を通じてタグを選択すれば、そのタグが付与されているデータ要素に接近できる。このとき、ユーザーがデータ要素を選択すれば、そのデータ要素と関連したアプリケーションが行われる。ユーザーは、現在の関心事項を直接的に反映するタグと関連したデータ要素をいずれも確認できるので、さらに容易かつ迅速に色々なデータ要素に対する色々なアプリケーションをいずれも選択して行える。
【００７０】
他の制御方法及び装置が、詳細な説明及び添付された図面により説明された本願発明の多様な方法及び装置の組み合わせから誘導され、本願発明の観点範囲でも考慮されるということは当業者に自明である。かかる理由により、かかる組み合わせと変形の説明は前記で省略した。アプリケーションを保存するホストは、マイクロチップ、マイクロプロセッサ、携帯通信装置、コンピュータ、レンダリング装置または多機能装置を含み、それらに制限されないという事実を注意せねばならない。
【００７１】
本願発明は、添付された図面を参照して、それに関する望ましい実施形態と関連して十分に説明されたが、多様な変化及び修正が可能であり、かかる変形された形態は、当業者に明白であるということを留意せねばならない。かかる変化及び修正は、特許請求の範囲と別個のものでなければ、特許請求の範囲により定義され、かつ本願発明の観点内に含まれたものと理解されねばならない。
【図面の簡単な説明】
【００７２】
【図１】本発明の望ましい実施形態の機能ブロック図である。
【図２】本発明のタグとデータ要素との関係を示す図である。
【図３】本発明の望ましい実施形態による移動通信装置のビューを示す図である。
【図４】本発明の望ましい実施形態のフローチャートである。
【図１】
2009538033.tif 000003
【図２】
2009538033.tif 000004
【図３】
2009538033.tif 000005
【図４】
2009538033.tif 000006
【国際調査報告】
2009538033.tif 000007
2009538033.tif 000008
2009538033.tif 000009